(57)【要約】      （修正有）【課題】構造がシンプルで、生産性や保守性に優れ、組み立てや分解が容易にできる、収納性・運搬性や取り扱いやすさに優れたポールスタンドを提供する。【解決手段】幟旗用ポールスタンドであって、板状の台座部２と、台座部の上面に接合する複数の支持部３とを有し、台座部と支持部には、接合機構が設けられ、使用時には、各々の支持部は、台座部の上面の重心位置を中心として相等しい中心角を保持しつつ放射状に延びる複数の仮想延長線上で、台座部の上面の重心位置から相等しい距離に、接合機構により各々接合され、台座部の重心位置近傍の上面と、複数の支持部の台座部の重心位置近傍の各々相対する部位とで、ポールを支持する。未使用時には、台座部と支持部との接合を解くことにより、分解可能である。【選択図】図１
0003225111.tif 000002
【実用新案登録請求の範囲】
【請求項１】
板状の台座部と、前記台座部の上面に設置する複数の支持部とを有し、使用時においては、複数の前記支持部は、前記台座部の上面の重心位置を中心として相等しい中心角を保持しつつ放射状に延びる複数の仮想延長線上に、前記台座部の上面の重心位置から相等しい距離で、各々設置され、前記台座部の重心位置近傍の上面と、複数の前記支持部の前記台座部の重心位置近傍で各々相対する部位とで、ポールを支持し、未使用時においては、前記台座部と、複数の前記支持部とに分解できる幟旗用ポールスタンド。
【請求項２】
前記支持部の数が３乃至６のいずれかであることを特徴とする請求項１記載の幟旗用ポールスタンド。
【請求項３】
板状の台座部と、前記台座部の上面に設置する複数の支持部と、前記台座部の側面に設置する複数の脚部とを有し、使用時においては、複数の前記支持部は、前記台座部の上面の重心位置を中心として相等しい中心角を保持しつつ放射状に延びる複数の仮想延長線上に、前記台座部の上面の重心位置から相等しい距離で、各々設置され、複数の前記脚部は、前記台座部の上面の重心位置を中心として相等しい中心角を保持しつつ放射状に延びる複数の仮想延長線上にある前記台座部の側面に外向きに設置され、前記台座部の重心位置近傍の上面と、複数の前記支持部の前記台座部の重心位置近傍で各々相対する部位とで、ポールを支持し、未使用時においては、前記台座部と、複数の前記支持部と、複数の前記脚部とに分解できる幟旗用ポールスタンド。
【請求項４】
前記支持部の数が３乃至６のいずれかであり、かつ、前記脚部の数が３乃至６のいずれかであることを特徴とする請求項３記載の幟旗用ポールスタンド。
【請求項５】
前記台座部が略円形で、前記支持部が板状、かつ、前記台座部への設置時に、前記支持部の前記台座部の重心位置近傍で各々相対する部位が鉛直面又は鉛直線をなすことを特徴とする請求項１乃至請求項４のいずれかに記載の幟旗用ポールスタンド。
【考案の詳細な説明】
【技術分野】
【０００１】
広報や啓発などの活動に使用される幟旗等を掲示するための台、いわゆるポールスタンドに関する。
【背景技術】
【０００２】
官民を問わず、啓発・周知用の資材として看板・旗・垂れ幕など多種多様なものが世界各地で用いられているが、我が国においては、縦長の幟旗が古の時代から様々な目的で使用され、現在も広く普及して用いられている。
この幟旗にも様々な種類があるが、これをそのサイズから大きく２分すると、店頭や街中などに飾られる人の背丈程の大きさがある一般的な幟旗と、それと同形状でミニチュアサイズにした卓上幟旗とがある。
一般的な幟旗の店頭や街頭などにおける設置方法も多々考えられるが、紐やロープを用いて柱等に直接縛り付けて固定する方法のほか、専用の幟旗台やポールスタンドが使用されることも多い。そして、その専用台等の例としては、コンクリート製の重量物で鉛直上向きのポール挿入管が埋め込まれたもの、厚みのあるプラスチック製の中空タンク状で、使用時に内部に水を充填し重しとし、所定箇所に幟旗のポールを挿入して使用するものが普及している。
また、従来品の欠点である運搬性や収納性の悪さを解決しようとするものとして、使用時に立てたポール支持部を未使用時には本体に沿わせて格納可能なもの（特許文献１）や、ポールを挿入する脚部の四角筒部が折り畳まれて板状になるもの（特許文献２）が提案されている。
一方、卓上式のスタンドに関しては、上面側の小さな凹みに単にポールを差し込むことで、ミニチュア幟旗を設置するプラスチック製の丸い平板などが一般的なものとなっている。
【先行技術文献】
【特許文献】
【０００３】
【特許文献１】登録実用新案公報第３０１９９４９号
【特許文献２】登録実用新案公報第３１４４４６３号
【考案の概要】
【考案が解決しようとする課題】
【０００４】
幟旗の台やスタンドとして一般に普及しているものには、コンクリート製の重い台座や金属製の平板の上面に幟旗のポールを差し込むための細長いパイプが設置されたもの、プラスチック製で厚みがある中空タンク状の内部に水を入れて重しして使用するものなどがある。これらは未使用時の収納性や運搬性に劣り、その無味乾燥な形態などから味気なさや物足りなさが常につきまとうものである。
一方、特許文献１の旗立て具は、従来品とは異なるユニークな形状を有しながら、支柱を外して収納する時に支柱を支えるための回転支持体を下方に倒してベース本体に沿わせて格納することで、収納性や運搬性を向上させたものである。しかし、この旗立て具の構造に関しては、回転支持体とベース本体の可動部の仕組みなど従来品と比較して複雑なものとならざるを得ない。
また、特許文献２の組立広告媒体の脚部も、ユニークな形状を有しつつも、これを折り畳んで重なり合った板状とすることで、収納性や運搬性を向上されたものである。しかし、この脚部の折り畳み構造なども従来品に比べて複雑なものとならざるを得ない。
また、卓上式のポールスタンドは、極めてシンプルである反面、ポールも倒れやすく、これもまた味気なさがぬぐい去れないものである。
【課題を解決するための手段】
【０００５】
このような収納性や運搬性の悪さや、その形態などに由来する無味乾燥な味気なさ・物足りなさなど、従来品が有する問題点に鑑み、本件考案に係るポールスタンドの基本的な形態は、板状の台座部と、必要に応じて随時にその台座部の上面に立体的に設置される、容易に着脱可能な複数の支持部とを有するものとした。また、それに加え、幟旗設置時の安定性を向上させるために台座部の周囲にその横方向、すなわち外向きに延びる脚部を設けるタイプのポールスタンドも併せて考案した。
より具体的には、このポールスタンドは、板状の台座部と、その台座部上に設置されて幟旗の柱を支持するための複数の支持部とを有し、必要に応じ、幟旗の安定性向上のため、これらに組み合わされて使用される複数の脚部を有するものである。そして、二つの組み合わせ部品からなるポールスタンドの使用時には、台座部の上面に複数の支持部が組み合わされ、若しくは、三つの組み合わせ部品からなるポールスタンドの使用時には、台座部の側面に脚部が、台座部の上面に複数の支持部が組み合わされることで、台座部の重心上に設置された幟旗が倒れないように、台座部上の複数の支持部がポールの下方を支える構造となっている。そして、運搬性や収納性の向上のため、ポールスタンドの未使用時には、台座部と支持部、更には脚部とを容易に分解することが可能なものである。
また、より詳しくは、幟旗の安定を損なうような台座部の重心位置の大きな変位が生じないように、複数の支持部は台座部の重心位置を中心点とし、相互に相等しい中心角度を保ちながら放射状に延びる複数の仮想延長線上に沿って、その台座部の重心位置を起点として相互に等しい位置に設置されるものとした。そして、ポールスタンドに幟旗を立てる時は、重心位置の近傍付近の台座部上面と、その台座部上に設置された複数の支持部が重心位置を中心として相対する部位（ポールの側面を支持するための鉛直面又は鉛直線を有する。）とが、ポールを上方から挿入可能な縦に細長い隙間空間をなし、幟旗のポールが倒れないようにしっかりと支持するものである。
そして例えば、風や接触など屋内外での突発的で予期せぬ原因により、ポールスタンドに設置された幟旗が簡単に転倒しないように、支持部と同じく、台座部の重心位置からそれぞれ等しい中心角度を保ちながら放射状に延びる複数の仮想延長線に沿い、台座部側面から外側に延びるように、脚部を設置することが可能なポールスタンドとした。
更には、より一層の安定性の向上のため、必要に応じて脚部を更に延長可能としたもの、太さが異なるポールに対応可能なように台座部上の支持部の位置を仮想延長線上において可変構造としたポールスタンドを考案した。
【考案の効果】
【０００６】
本件考案に係るポールスタンドの構造は非常にシンプルである。特許文献１や特許文献２の考案と比較しても、生産性や保守性に優れるとともに、組み立てや分解が容易にできるため、収納性・運搬性や取り扱いやすさに優れたものとなる。
そして、ポールを立てる部分が単なる上向きパイプのものとは異なり、複数の支持板によりポールを支持し、それら支持板の間に適度な隙間が形成されて、容易に分解することが可能なため、雨天時等の水捌けが良くて、日常的な清掃も簡単になる等の利点もある。
また、様々な材質で製造したり、様々な大きさのポールスタンドとすることが可能であるが、従来のポールスタンドとは外観形状も大きく異なり、様々な場所や場面に馴染みやすく、例えば、これを木材で製造したものなどに関しては、民芸品としての優れた風合いと美観の表現が可能なポールスタンドとなる。
更には、ポールスタンドの支持部自体にも必要な情報を記載したり、これを装飾のためのスペースとして活用することが可能となる。
【図面の簡単な説明】
【０００７】
【図１】支持部が板状のポールスタンド全体を示す斜視図である。
【図２】柱状の支持部と台座部との組み合わせを示す斜視図である。
【図３】台座部を示す斜視図である。
【図４】板状の支持部を示す斜視図である。
【図５】脚部を示す斜視図である。
【図６】ポールスタンドに幟旗のポールを設置した状態を示す斜視図である。
【図７】伸縮式の脚部を示す斜視図である。
【考案を実施するための形態】
【０００８】
以下、一つの実施例を中心として、図を用いて本件考案に係る幟旗用のポールスタンド１を説明する。
なお、その用途については、必ずしも幟旗用のみに限定されるべきものでもなく、常識的な範囲において多用途にも転用の可能があるものと思われる。
また、以下の説明において、このポールスタンド１に設置される幟旗については、その縦の長さが１８０ｃｍ、横幅が６０ｃｍ又は４５ｃｍのような、ごく一般的に使用される幟旗を想定しており、幟旗を架けるポールについても、その長さは２４０ｃｍや３００ｃｍなど様々あるが、そのポールは伸縮式の２重パイプ構造のものを例として、その上部パイプが直径１９ｍｍで、下部パイプが直径２２ｍｍのような、これも極めて一般的なものを想定している。
但し、これらも一例であって、これより大きなものも考え得るし、例えば、ミニチュアサイズの幟旗であれば、その縮尺に比例して、以下の説明によるものよりも、非常に小振りなミニチュアサイズのポールスタンド１となる。
【０００９】
図１は、ポールスタンド１の全体形状を示す斜視図である。
この例は、一つの台座部２・三つの板状支持部３・三つの脚部４の組み合わせからなるものである。
上方から見た形状が円盤状で厚みのある台座部２と、その外側に台座部２の延長のように放射状に広がり、これも同じく厚みのある三つの脚部４がある。なお、台座部２と脚部４は略同じ厚さである。
そして、台座部２と三つの脚部４それぞれ内側の一部に跨がるようにして、台座部２上面から鉛直上方に立ち上がる三つの板状支持部３がある。
また、この台座部２では、その中心が大凡の重心位置となるが、その台座部２の中心側では、台座部２の重心位置近傍の上面と、これら三つの板状支持部３の縦長の鉛直面３−２とにより、幟旗のポールを差し込み、これを立った状態で保持するための縦に細長い空間が構成されている。
なお、ポールスタンド１を構成する各部材である台座部２、板状支持部３，脚部４の形状や大きさ・厚みなどは、本考案の一例に過ぎず、幟旗の安定性を失わず、その収納や保管に支障が生じない範囲内で設計・製造されれば良い。例えば、台座部２の上方から見た形状が、図１のような円盤状ではなく、正方形やその他の形状であっても良いし、板状支持部３や脚部４の数も三つに限らない。但し、板状支持部３の数については、ポールの側面を三点支持する安定性の観点から、これを少なくとも三つとし、ポールスタンド１の構造を簡素化する観点からは、多くてもこれを六つ以内とすることが一般的には適当であると思われる。
また、図１の板状支持部３については、形状等のバリエーションとして、これを例えば図２のように、複数の柱状支持部５として、これによりポールを支持させることも可能である。この場合、図１の鉛直面３−２に相当する部位は、面ではなくて鉛直線に近いものとなる。更には、この鉛直面３−２や鉛直線は板状支持部３や柱状支持部５の全高に渡って延びるものならず、その一部であっても構わない。
そして、台座部２の厚みについても、全面に渡って均等ではなく、例えば、上面の中心付近に雨水等が溜まらないように、台座部２を横から見て、その中心部が上方に緩く突出するような形状としても良い。この場合、台座部２に板状支持部３を設置した時、挿入されたポールが倒れないよう支持するための空間が、板状支持部３の組み合わせによって適切に形成される必要がある。そのためには、板状支持部３の下端形状を台座部２の突出形状に適合させる必要があると考えられる。また、図２のような柱状支持部５とする場合は、台座部２に凹部を設け、その凹部に柱状支持部５を嵌合させて鉛直上方に延びるように設置すれば良い。
【００１０】
図３は、図１における台座部２のみを示した斜視図である。
この例の台座部２は、上方から見ると略円形の円盤状をしており、その直径は２０ｃｍで厚さは２ｃｍである。
そして、台座部２の中心が大凡の重心位置であり、その中心角を三等分（３６０°÷３＝１２０°）して三方向に放射状に延びる仮想延長線（仮想線のため図においては表示されない。以下同じ。）上で、かつ、台座部２の上面となる部位に、上方から板状支持部３を接合するための台座部上接合機構２−１となる横溝が、各々二つずつ設けてある。
また同じく、台座部２の中心角を三等分して三方向に放射状に延びる仮想延長線上、かつ、台座部２の側面となる部位には、脚部４を横から接合するための台座部横接合機構２−２を設けてある。なお、この台座部横接合機構２−２の形状も、台座部上接合機構２−１と同じく一つの例であるが、ここでは台座部２の側面を直線状に浅く切除して平坦なものとし、脚部４の一部を嵌合させるための横溝を三つの側面に各々一つずつ設けてある。
【００１１】
図４は板状支持部３の斜視図である。
この例の板状支持部３は、航空機の尾翼のような形状となっており、上部及び下部における各面の長辺をそれぞれ３ｃｍと１０ｃｍとしている。
また、図４の左方となる板状支持部３の縦に長い部位は、その厚みのため縦長の面を構成し、板状支持部３が台座部２の上面に設置された時に、鉛直上方に向けて立ち上がる鉛直面３−２となり、ポールを支える部位として機能する。ここでは、この鉛直面３−２の高さを２０ｃｍとし、その横幅は板状支持部３の厚みであるが、台座部２と同じ２ｃｍとなっている。但し、この形状も大きさ・厚みも一つの例である。
そして、板状支持部３の下端には、台座部２の上面に設けられた二つの台座部上接合機構２−１や脚部４の脚部上接合機構４−１に対応して、これらの横溝に嵌合させるための二つの突起が、支持部下接合機構３−１として設けられている。
【００１２】
図５は脚部４の斜視図である。
脚部４の形状は、上方から見ると細長い長方形であり、厚みは台座部２と同じ厚さとしている。図５の例では、幅を５ｃｍとし、長さが１６ｃｍ、厚みが２ｃｍである。
図３に示す台座部２の台座部横接合機構２−２の横溝に嵌合する突起が、脚部横接合機構４−２として、その端部、図５では脚部４の左方端に設けられている。また、これは必須の形状ではないが、美観向上や軽量化等の観点から、脚部横接合機構４−２の反対側となる端部側、図５では脚部４の右方側については、その一部を斜めに切除する加工を施している。
そして、台座部２の台座部上接合機構２−１の並びと対応するようにして、脚部４の上面から脚部横接合機構４−２に渡って脚部上接合機構４−１となる横溝が設けられており、板状支持部３の支持部下接合機構３−１である一つの突起がこれにしっかりと嵌合するものとなっている。
なお、前述したように、これら台座部２・板状支持部３・脚部４における、各接合構造は図示したものに限定されるべきものではない。例えば、図２のような柱状支持部５の場合には、これを図２のような差込式やねじ式の構造とすることが、より簡易で確実であると思われる。
【００１３】
このポールスタンド１の運搬時や収納時には、台座部２・板状支持部３・脚部４に分解されてコンパクトになるが、使用時には台座部２の台座部横接合機構２−２に脚部４の脚部横接合機構４−２を差し込んで一体的に組み立てたうえ、その後、台座部上接合機構２−１及び脚部上接合機構４−１に板状支持部３の支持部下接合機構３−１を差し込み、ポールスタンド１の組み立てが完成する。この時、台座部２の中心近傍の上面と板状支持部３の中心側の三つの縦細長の鉛直面３−２とによって形成される空間に、図６のようにポールを差し込むことで、幟旗をポールスタンド１に立てることが可能となる。
そして、前記の大きさからなる組み合わせ部品、すなわち台座部２・板状支持部３・脚部４の組み合わせにより、図１のポールスタンド１の水平（横）方向の大きさは大凡３０ｃｍ程度、垂直（縦）方向の高さは大凡２２ｃｍ程度となる。
【００１４】
ここで、台座部２・板状支持部３・脚部４の素材や大きさ・厚み・形状については図示したものに限定されるものではなかったが、幟旗には上記の広報資材としての一般的な大きさのもののほか、卓上のミニチュア幟旗も数多く使用されている。この場合には、水平方向の大きさは６ｃｍ程度、垂直方向の大きさは４．５ｃｍ程度と、その縮尺は１／５程度とすることが多いものと考えられる。
また、一般的な大きさのものも、ミニチュアサイズのものも、木材等をその素材として利用することで暖かみのある豊かな風合いを表現できるものとなるが、当然のことながら、金属やプラスチックなど他の素材を用いることも可能である。但し、卓上ミニチュア幟旗用の小さなポールスタンド１については、軽量化やコスト・量産化などを特に意識した場合には、これをプラスチック製とすることが有効と思われる。
【００１５】
次に、本件考案に係るポールスタンド１については、これに立てようとするポールの太さ（径）の変化に対応させて、台座部２の重心位置から延びる放射仮想延長線上の方向に沿って板状支持部３をスライド移動できる可変構造として、台座部２上に設置することが考えられる。これによって、異なる径のポールに迅速かつ簡易に対応可能なものとなる。
また、柱状支持部５のポールスタンド１については、例えば図２のように、台座部上接合機構２−１を、柱状支持部５を挿入可能な複数の凹みとして仮想延長線上にポールを支持するため妥当な間隔で設けることで、ポールの太さに応じて柱状支持部５を差し替えることにより、同様の可変構造を容易に実現することができる。なお、図２の複数の凹みは、その一部が繋がって瓢箪型の凹みとなっている。
更には、屋内外など設置場所の違い、その広さや風の有無、人や物の接触可能性など、その使用環境に応じて、ポールスタンド１の大きさや安定性を随時に変更するため、脚部４の長さが可変な構造とすることが考えられる。この構造に関しては、異なる大きさの複数の脚部４を単に差し替え可能とするものの他、脚部４を折り畳み式として、延長部位を脚部４の内部に収納可能とするもの、図７のように脚部４の一部を伸縮式として、これが脚部４の内部に収納可能とするものなど、本件考案に係るポールスタンド１の設計上のバリエーションは様々に存在する。
【符号の説明】
【００１６】
１  ポールスタンド
２  台座部
２−１  台座部上接合機構
２−２  台座部横接合機構
３  板状支持部
３−１  支持部下接合機構
３−２  鉛直面
４  脚部
４−１  脚部上接合機構
４−２  脚部横接合機構
５  柱状支持部
【図１】
0003225111.tif 000003
【図２】
0003225111.tif 000004
【図３】
0003225111.tif 000005
【図４】
0003225111.tif 000006
【図５】
0003225111.tif 000007
【図６】
0003225111.tif 000008
【図７】
0003225111.tif 000009
【手続補正書】
【提出日】令和1年12月6日(2019.12.6)
【手続補正１】
【補正対象書類名】実用新案登録請求の範囲
【補正対象項目名】請求項１
【補正方法】変更
【補正の内容】
【請求項１】
板状の台座部と、前記台座部の上面に接合する複数の支持部とを有し、前記台座部には各々の前記支持部との接合機構が設けられ、各々の前記支持部には前記台座部との接合機構が設けられ、使用時においては、各々の前記支持部は、前記台座部の上面の重心位置を中心として相等しい中心角を保持しつつ放射状に延びる複数の仮想延長線上で、前記台座部の上面の重心位置から相等しい距離に、相対する前記台座部と前記支持部の接合機構により各々に接合され、前記台座部の重心位置近傍の上面と、複数の前記支持部の前記台座部の重心位置近傍で各々相対する部位とで、ポールを支持し、未使用時においては、前記台座部と各々の前記支持部との接合を解くことにより、前記台座部と、複数の前記支持部とに分解可能な幟旗用ポールスタンド。
【手続補正２】
【補正対象書類名】実用新案登録請求の範囲
【補正対象項目名】請求項３
【補正方法】変更
【補正の内容】
【請求項３】
板状の台座部と、前記台座部の上面に接合する複数の支持部と、前記台座部の側面に接合する複数の脚部とを有し、前記台座部には各々の前記支持部との接合機構と各々の前記脚部との接合機構とが設けられ、各々の前記支持部には前記台座部との接合機構が設けられ、各々の前記脚部には前記台座部との接合機構が設けられ、使用時においては、各々の前記支持部は、前記台座部の上面の重心位置を中心として相等しい中心角を保持しつつ放射状に延びる複数の仮想延長線上で、前記台座部の上面の重心位置から相等しい距離に、相対する前記台座部と前記支持部の接合機構により各々に接合され、各々の前記脚部は、前記台座部の上面の重心位置を中心として相等しい中心角を保持しつつ放射状に延びる複数の仮想延長線上で、前記台座部の 外向きに、相対する前記台座部と前記脚部の接合機構により各々に接合され、前記台座部の重心位置近傍の上面と、複数の前記支持部の前記台座部の重心位置近傍で各々相対する部位とで、ポールを支持し、未使用時においては、前記台座部と各々の前記支持部との接合を解き、前記台座部と各々の前記脚部との接合を解くことにより、前記台座部と、複数の前記支持部と、複数の前記脚部とに分解可能な幟旗用ポールスタンド。